(57)【要約】【課題】  ルアーの触感までも生餌に似せる事で、対象魚におけるルアーに対する警戒を解いて、釣果を高めるようにしたルアーを提供すること。【解決手段】  リーダー又はラインが接続されるアイレット及びフックが接続されるフック接続環が一体に設けられた芯部と、当該芯部を覆って生餌に似せた形状に成形された樹脂製の成形部とからなり、当該成形部は、似せた生餌と同等の硬さ及び弾力性に形成されており、ジュロメーター硬度がショアＡスケールで０．５以上、８０以下である事を特徴とするルアー。【選択図】図１
2015181381.tif 000002
【特許請求の範囲】
【請求項１】
リーダー又はラインが接続されるアイレット及びフックが接続されるフック接続環が一体に設けられた芯部と、当該芯部を覆って生餌に似せた形状に成形された樹脂製の成形部とからなり、
当該成形部は、似せた生餌と同等の硬さ及び弾力性に形成されており、ジュロメーター硬度がショアＡスケールで０．５以上、８０以下である事を特徴とするルアー。
【請求項２】
前記芯部及び成形部の少なくとも何れかは、塑性変形自在な材料で形成されている、請求項１に記載のルアー。
【請求項３】
前記芯部は、形状記憶合金又は形状記憶樹脂で形成されており、当該形状記憶合金又は形状記憶樹脂の変態点は４５℃以上である、請求項１又は２に記載のルアー。
【請求項４】
前記成形部は形状記憶樹脂で形成されており、当該形状記憶樹脂の変態点は４５℃以上である、請求項１〜３の何れか一項に記載のルアー。
【請求項５】
更に進行方向前方側に延出されてなるリップ部を具備しており、
当該リップ部は塑性変形自在であって、前記芯部に接続されるか一体に設けられる、請求項１〜４の何れか一項に記載のルアー。
【発明の詳細な説明】
【技術分野】
【０００１】
本発明は、魚釣り用のルアー（疑似餌）に関し、特に曲折自在であって、望ましくはリップの傾きも任意に調整できるようにすることで、水中において思い通りに動かすことができるようにしたルアーに関する。
【背景技術】
【０００２】
周知のように、一般的なルアーは、釣りの対象となる魚の餌となるような小魚、エビ、虫、昆虫およびこれに類するものをプラスチック成形により具現化して形成されている。そして、かかるルアーには、ライン（釣り糸）又はラインが繋げられたフックを連結する為のラインアイ（アイレット）が設けられており、また魚を引っ掛ける為のフックが設けられている。
【０００３】
そしてかかるルアーに関して、従前においては、任意に変形自在としたルアーも提案されている。例えば、特許文献１（特開２００６−１４９３２８号公報）では、人工的に製造したワームは各片の形状が均一であるとともに、水中での動きが画一的なものとなり、動きが不自然であり、魚に違和感を与えて食いつきを悪くしていたことに鑑み、魚のいる層に長く留まり自然な動きを付与するとともに魚が食いつきを良くする釣り用ルアーを提供するべく、軟質プラスチックを成型してなるルアー本体と、当該ルアー本体内部に延曲可能な針金を内蔵して構成し、延曲可能な針金を延曲することでワームの形を自在に変え、また実物に似せる事が提案されている。
【０００４】
また、特許文献２（実用新案登録第３１７３８４０号公報）では、容易に変形させることができ、且つ、その変形を安定して維持できると共に、彩色が剥げ落ち難いルアーを提供するべく、表面に彩色が施された着色部を有する芯材と、少なくとも前記着色部を被覆する透明な表面材と、を有するルアー本体を有し、前記芯材が、可撓性及び形状保持性を有する金属から形成されており、前記表面材が、軟質合成樹脂から形成されており、前記ルアー本体が、その側面において、前記芯材の側面に対応する芯材領域と、それ以外の非芯材領域と、を有し、前記芯材領域の面積が、前記非芯材領域の面積よりも広いことを特徴とするルアーが提案されている。
【０００５】
また、特許文献３（特開２００４−０５７１８８号公報）では、ラインを外力で引き泳がせているリップ付きルアーで、そのラインを引く外力の強弱でリップ付きルアーのリップの角度を操作し、浮上させたり、潜行させたりし、魚の興味を引き、水中の障害物や浅瀬を回避することを目的とし、本体前部の下部に第１リップを設けたリップ付きルアーであって、ラインを外力で引きながら泳がす前記リップ付きルアーで、前記ラインを引く前記外力の強弱で前記リップ付きルアーの前記第１リップの角度を操作し、前記リップ付きルアーを浮上させたり、潜行させたりすることを特徴とする魚釣り用リップ付きルアーが提案されている。
【先行技術文献】
【特許文献】
【０００６】
【特許文献１】特開２００６−１４９３２８号公報
【特許文献２】実用新案登録第３１７３８４０号公報
【特許文献３】特開２００４−０５７１８８号公報
【発明の概要】
【発明が解決しようとする課題】
【０００７】
上記のとおり、従前においても変形自在としたルアーは提案されている。しかしながら、特許文献１にかかるルアーは、形態を変形させることにより、本物に近い形を造形できるようにしたものであり、水中での動作を考慮するものでは無い。一方で特許文献２にかかるルアーは、ルアーを変形させることで、水中におけるルアーの動きを変えることができ、ルアーの動きをより自然な餌に近づけることが開示されているが、可撓性及び形状保持性を有する金属から形成されている芯材は、幅方向にのみ曲折可能に形成されている関係上、水中におけるルアーの動きも左右方向に変化させるのが限界であった。
【０００８】
そこで本発明は、変形させたルアーを、簡易な方法によって元通りの形状に復元できるようにしたルアーを提供することを課題の１つとする。
【０００９】
また、従前においても、ラインを引く外力の強弱でリップ付きルアーのリップの角度を操作し、浮上させたり、潜行させたりして魚の興味を引く等の操作ができるルアーも提案されている。しかしながら、このルアーはラインを引く外力の強弱でリップの角度が変わってしまう事から、リップの角度を一定にしながら、任意の速度でラインを引くことはできなかった。
【００１０】
そこで本発明は、リップを任意の角度で一定に保つことができ、そしてラインを引く速度を自在にコントロールできるようにしたルアーを提供することも課題の１つとする。
【００１１】
更に、従前においても特許文献１及び特許文献２にかかるルアーでは、表面が軟質プラスチック（軟質合成樹脂）を用いて形成されているが、これは変形の為であることから、弾力性や硬さなど、釣りの対象魚が食いついたときの感覚までを考慮するものでは無い。
【００１２】
一方で、釣りの対象魚の中には、まずエサを見つけたら口先で軽くつつき、異常がないことを確かめたら徐々に攻撃を加え、最後にエサをくわえて反転するといった方法で捕食する魚も存在する（例えば石鯛など）。また、対象魚によっては、一旦はルアーに食いついたとしても、生餌との違い等から離してしまう事もあった。
【００１３】
そこで本発明は、ルアーの触感までも生餌に似せる事で、対象魚におけるルアーに対する警戒を解いて、釣果を高めるようにしたルアーを提供することも課題の１つとする。
【課題を解決するための手段】
【００１４】
上記課題の少なくとも何れかを解決するべく、本発明では生餌に近い硬さや弾力性を有するルアーを提供する。
【００１５】
即ち、本発明にかかるルアーは、リーダー又はラインが接続されるアイレット及びフックが接続されるフック接続環が一体に設けられた芯部と、当該芯部を覆って生餌に似せた形状に成形された樹脂製の成形部とからなり、当該成形部は、似せた生餌と同等の硬さ及び弾力性に形成されている事を特徴とする。
【００１６】
かかるルアーにあっては、成形部は樹脂を用いて形成している事から、様々な成形技術を利用して任意の形状に形成することができ、よって小魚、エビ、ワーム等、各種の生餌に似せた形状であっても困難なく製造することができる。
【００１７】
成形部を形成する樹脂は、目的とする柔軟性が得られるように可塑剤などの配合が調整されるべきであり、例えば、ポリエチレン樹脂、ポリプロピレン樹脂などのポリオレフィン樹脂、シリコーン樹脂、シリコンゴム、合成ゴム、各種のエラストマー樹脂（スチレン系、オレフィン系、塩化ビニル系、ウレタン系、ポリエステル系、ポリアミド系、フッ素系、などのエラストマー樹脂）を使用することができる。特にポリウレタン樹脂を使用することにより、その柔軟性を幅広く調整することができ、また成型後に細部を接着により取り付ける場合であっても接着性が良く、且つ耐摩耗性に優れているため望ましく、更には浮力を調整する為に、発泡体として利用できる為に望ましい。
【００１８】
また、この成形部は、形状を似せた生餌が本来有する硬さや弾力性で形成することが望ましい。例えば、小魚を模した生餌の場合には、ジュロメーター硬度がショアＡスケールで０．５以上、８０以下、特に２以上、５０以下、更に２以上、４０以下であることが望ましい。当該硬度が８０を超えると、成形部が硬くなりすぎて芯部による変形が困難になり、また対象後が警戒心からアタックした場合において違和感を生じさせ、食いつきが低下することが考えられる。更に、着色時において魚体に現れるようなグラデーションを表現するのが困難になり、フックや岩などに当たった時に着色がはがれやすくなる。一方、当該硬度が２未満では、着色段階におけるグラデーションが困難になり、加水分解による劣化も比較的早くなってしまい、使用耐久性上の問題が考えられる。
【００１９】
成形部をこのような硬さに形成する事により、当該成形部は適度な柔軟性を有し、これにより、対象魚がルアーに接した時の警戒心を解いて食いつきを良くし、また食いついた後に吐き出すといった問題を解消することができる。更に上記のとおり成形部を柔軟な樹脂で形成することにより、当該ルアーが備えるフックが当たっても異音を生じさせることはない。この点、仮に成形部が硬質の樹脂などで形成されているとすれば、ルアーを引いたときの水の抵抗によりフックが揺れ動き、これがルアー本体に当たることによって、生餌では発生し得ない音は生じる。この点、本発明にかかるルアーは、ルアー本体となる成形部を柔軟な樹脂で形成していることから、異音を発生させることなく、対象魚に対して不要な警戒心を抱かせることがなくなる。
【００２０】
そして前記のとおり成形部が樹脂を用いて柔らかく形成されている事から、本来であればリーダーやライン等が接続されるアイレットや、フックが接続されるフック接続環を、脱離することなく一体化するのは困難である。そこで本発明では、芯部の形成に際して、リーダー又はラインが接続されるアイレット及びフックが接続されるフック接続環を一体に設けており、これによりアイレットやフック接続環の脱離の問題を無くしている。
【００２１】
そして、前記成形部および、当該成形部内において骨格をなす芯部は、少なくともその何れかが塑性変形自在な材料によって形成することが望ましい。例えば、芯部を塑性変形自在に形成した場合には、当該当該芯部を変形させることにより、その外側に存在する成形部も変形させ、変形させた形状を維持できる程度の形状保持性を有することができる。よって、かかる芯部としては金属や樹脂を使用することができ、特に針金などの様に、長尺に形成された線材を使用することが望ましい。
【００２２】
また、この芯部は、生餌に似せた形状にける長さ方向に延在させて設ける他、当該長さ方向に延伸する線材同士が対向するように配置する事もできる。特に２本以上の線材同士を対向状に配置した場合には、何れか一方の線材、又は両方の線材を曲折させれば、線材同士の間隔を変えることができ、これにより水中における抵抗を変化させて、また様々な動きを演出させることができる。
【００２３】
特に、この芯部が針金などの線材で形成されている場合、当該線材は恰も小魚の骨の如く存在することができ、そして当該芯部の外側には似せた形状の生餌と同等の柔らかさ及び弾力性を有する成形部が存在する事から、当該ルアーに対象魚が食いついた場合であっても、何ら違和感を生じさせることなく捕食させることができる。
【００２４】
以上の様に、芯部を塑性変形自在に形成する事により、当該ルアーは、その全体形状を任意の形状に変形させることができる。一方で、上記の様に変形できるルアーにおいては、あまりにも複雑な形状に変形させた場合には、元の形状に復元するのが困難になる。そこで本発明では、芯材を形状記憶合金や形状記憶樹脂で形成したり、或いは成形部を形状記憶樹脂で形成することが望ましい。
【００２５】
その際、当該形状記憶合金や形状記憶樹脂の変態点（元の形状に回復する温度）は、４５℃以上とする事により、水中や大気中では塑性変形させた形状を維持させることができ、任意に温めることにより、当該変形を無くして元通りの形に復元させることができる。例えば、当該ルアーを、密閉された透明または半透明な容器内に保管しておけば、当該容器内は太陽光によって少なくとも４５℃以上になる。その結果、使用に際しては自在に変形させて使用し、使用後には当該密閉された容器に保管しておくだけで、元の形状に復元できるルアーが実現する。
【００２６】
かかる形状記憶合金としては、チタンとニッケルの合金の他、鉄−マンガン−ケイ素合金、銅−亜鉛−アルミニウム合金等を使用することができる。また形状記憶樹脂としては、ポリノルボルネン、トランスポリイソプレン、スチレン−ブタジエン共重合体、ポリウレタン等を使用することができる。
【００２７】
なお、製造コスト上の理由から、芯材として金属線を使用し、その周囲にのみ形状記憶樹脂を設けても良い。この場合、当該形状記憶樹脂の周りには、柔軟性を有する一般的な樹脂（ウレタン樹脂など）を設けることができる。よって、芯材の周りにのみ形状記憶樹脂を設けた場合には、当該成形部は、形状記憶樹脂層と、その外側に存在する一般樹脂層（形状記憶樹脂以外の樹脂）とからなる２層構造として形成することができる。
【００２８】
そして本発明にかかるルアーは、更に、進行方向前方側に延出されてなるリップ部を具備しており、当該リップ部は塑性変形自在であって、前記芯部に接続するか一体に設けて形成することが望ましい。
【００２９】
かかるリップ部は、水中において水の抵抗を受けてルアーの動きをコントロールする重要な要素である。そこで、このリップ部を任意に変形できるように形成し、当該リップ部を変形させることにより、水の抵抗を変化させ、水中における動きを複雑に制御するものである。かかるリップ部は、塑性変形可能な金属や樹脂などを用いて形成する他、前記芯部を線材で形成し、当該線材を屈曲させるなどによって当該リップ部のフレームを形成することができる。特に当該リップ部を、金属線を曲折させるか、或いは芯部から延伸して対向配置された金属線によりフレームを形成した場合、当該リップ部の輪郭形状までも変形させることができ、水中において、より複雑な動きを実現することができる。
【００３０】
そしてこのようにリップ部を塑性変形自在に形成した場合には、当該リップ部を構成する金属や樹脂部分も、前記したような形状記憶合金や形状記憶樹脂によって形成するのが望ましい。
【発明の効果】
【００３１】
以上のように構成された本発明のルアーによれば、ルアーに食いついたときの感触までも生餌に近づける事ができ、その結果、ルアーに対する対象魚の警戒心を解いて、釣果を上げることができる。特に、餌を捕食する際に口先で軽くアタックするような警戒心の強い魚を対象とする釣りにおいては、より有効に使用することができる。
【００３２】
また、本発明にかかるルアーにおいて、芯部を形状記憶合金や形状記憶樹脂で形成したり、成形部を形状記憶樹脂で形成した場合には、使用に際して複雑に曲折させたり、変形させたルアーであっても、単に加熱するだけで元通りの形状に戻すことができる。よって使用に際しては、安心して曲折・変形させることができ、また元の形への復元も簡易に行う事ができる。
【００３３】
更に、本発明にかかるルアーにおいて、リップ部を形成し、このリップ部を塑性変形自在に形成した場合には、当該リップ部を変形させて複雑かつきめ細かく水中における動作を制御することができる。その結果、当該ルアーを引く速度を変化させた場合における上下方向への移動具合を自在に調整することができ、釣りの楽しみを大幅に広げたルアーが実現する。
【図面の簡単な説明】
【００３４】
【図１】第１の実施の形態にかかるルアーを示す、（Ａ）内部透視側面図、（Ｂ）内部透視正面図。
【図２】第１の実施の形態にかかるルアーを示す内部透視平面図であり、（Ａ）及び（Ｃ）は幅方向に湾曲変形した状態、（Ｂ）は幅方向に湾曲変形しない状態、をそれぞれ示している。
【図３】第２の実施の形態にかかるルアーを示す内部透側面図であり、（Ａ）芯部を変形する前の状態、（Ｂ）芯部を変形した後の状態、をそれぞれ示している。
【図４】第３の実施の形態にかかるルアーを示す内部透視側面図であり、（Ａ）はリップ部を変形しない状態、（Ｂ）はリップ部を変形した状態、をそれぞれ示している。
【図５】第４の実施の形態にかかるルアーを示す内部透視側面図。
【図６】第５の実施の形態にかかるルアーを示す内部透視斜視図。
【発明を実施するための形態】
【００３５】
以下、図面を参照しながら、本発明にかかるルアー10の幾つかの実施の形態を具体的に示す。以下に示す幾つかの実施の形態は、何れも小魚を模した形態に形成されているが、必ずしも小魚等の魚類だけではなく、ワーム等のミミズ類やエビ・カニ等の甲殻類などの生餌の形状に形成することができる。また、以下に示す幾つかの実施の形態にかかるルアー10は、芯部20として針金などの金属線を使用しており、成形部30としてウレタン樹脂を使用した例を示している。但し、以下に示す何れの実施の形態においても、その作用・効果を発現できる範囲内において、異なる材料で形成することができ、以下の実施の形態は、材質や形状を何ら制限するものでは無い。
【００３６】
図１（Ａ）は第１の実施の形態にかかるルアー10を示す内部透視側面図であり、図１（Ｂ）はこの実施の形態にかかるルアー10を示す内部透視正面図である。この第１の実施の形態にかかるルアー10は、塑性変形可能な針金などの金属線を使用して形成された芯部20と、ウレタン樹脂を使用して小魚を模した形状に形成された成形部30とで構成されている。芯部20を形成する針金の材質は、防錆効果を要求する場合にはステンレスを使用し、軽量化を実現する場合にはアルミニウムなどを使用することができる。また、この芯部20は必ずしも金属を用いる必要はなく、一定の硬さ及び形態安定性を有する限りにおいて樹脂などを用いて形成しても良い。当該芯部20は、塑性変形可能な材料で形成されている事が望ましいが、変形を要しないルアー10にあっては、カーボンファイバーやセラミックファイバーなど、塑性変形が困難な材料で形成しても良い。
【００３７】
本実施の形態にかかるルアー10は、針金からなる芯部20を、小魚を模した魚体の側面形状に沿うように曲折させると共に、その先端部には環状のラインアイ（アイレット）21を形成し、模した魚体の後端及び前後方向の中間部分近傍には、釣り針からなるフック40を係止する為の環状に形成されたフック接続環22・23を形成している。
【００３８】
この実施の形態において、芯部20は、小魚を模した魚体の側面における底面（腹部側）を長さ方向に延在すると共に、前記ラインアイ（アイレット）21及びフック接続環22・23から上方に向かって延伸し、当該魚体の形状における背部まで延伸するように構成されている。このように芯部20を形成している結果、高さ方向（厚さ方向）にも任意に塑性変形可能なものとなっている。また、ラインアイ（アイレット）21側から延伸する芯部20の先端と、フック接続環22・23から延伸する芯部20の先端とは、一定の間隔を置いて配置されている。このように、両端部を接続しない事により、上下方向に変形させた場合であっても、芯部20における歪みが生じる事は無くなり、よってラインアイ（アイレット）21及びフック接続環22・23の変形を阻止することができる。
【００３９】
図２は、前記実施の形態１に示したルアー10を幅方向（左右方向）に変形した状態を示している。この図に示す様に、芯部20または成形部30を塑性変形可能な材料、即ち外力による変形後の形状を保つことのできる材料を用いて形成することにより、これを水中で引いた場合には、成形部30で構成されるルアー本体における左右での抵抗の違い、及び水流の違いにより、左右方向に向かって移動できるように構成することができる。即ち、図２（Ａ）に示す様に、正面から見て左側に後方（尾びれ側）を湾曲させた場合には、当該ルアー10は右向きに進むことができ、図２（Ｃ）に示す様に、正面から見て右側に後方（尾びれ側）を湾曲させた場合には、当該ルアー10は左向きに進むことができる。よって、通常であれば、ルアー10を引くためのライン（釣り糸）を案内するロッド（釣竿）の向きによって、ルアー10の左右方向への移動をコントロールしなければならない所、本実施の形態にかかるルアー10は、ルアー10本体を湾曲させることにより、左右方向への移動をコントロールすることができる。
【００４０】
また、前記成形部30の前方には、水中において水の抵抗を受け、当該ルアー10を下方（多くの場合は沈む方向）に移動させるように機能するリップ部50が設けられている。本実施の形態において、当該リップ部50は、下方に向かって傾斜して突出す円盤状に形成されており、これは塑性変形可能な金属や樹脂材料で形成されている。そしてこのリップ部50において、成形部30内に存在する基部は前記芯部20に一体化されている。芯材とリップ部50との一体化は嵌め合わせ構造による継合一体化の他、接着剤や溶接などによって一体化することができる。リップ部50を変形自在とする事により、水中におけるルアー10の動きを多様化させることができる。即ち、通常であれば、引くことにより水中に潜るように構成されたルアー10であっても、リップ部50を上向きに曲折させることにより、引くことで上方に浮上するようにして使用することができる（図４参照）。
【００４１】
図３は、第２の実施の形態にかかるルアー10を示す内部透視側面図である。この実施の形態にかかるルアー10は、線材からなる芯部20がループ状に閉じて形成されている。即ち、当該芯部20は、図３（Ａ）に示す様に、背部側に存在する両端部を接続一体化して、当該芯部20をループ状に形成している。この様に形成した場合には、図３（Ｂ）に示したように、向かい合う芯部20（背部側と腹部側の芯部20）を近づける事により、当該ルアー10の長さを、変形前の長さＬ１から、変形後の長さＬ２になるように調整することが可能になる。よって本実施の形態にかかるルアー10では、当該芯部20は塑性変形自在な材料であって、且つ成形部30は柔軟性を有する樹脂で形成されることが必要である。そして、このように長さを変える事のできるルアー10とすることにより、全体の輪郭形状も変化させることができ、よって１つのルアー10であっても、様々な対象魚について使用可能なルアー10が実現する。
【００４２】
以上のように構成したルアー10によれば、図３に示す様に、ルアー10の長さ方向、幅方向、及び高さ方向に、任意に変形させることができ、更にリップ部50も任意に変形させることができる。
【００４３】
その結果、ルアー10を引いた時における水中でのルアー10のアクションを多様に調整することができ、これにより対象魚の関心を高めて釣果を向上させることができる。また、成形部30により形作られるルアー10本体を変形させることにより、及びリップ部50を変形させることにより、水中におけるアクションを多様に調整できる事から、川の流れや潮の流れに応じた最適な動きを実現することができる。
【００４４】
図４は、前記第１の実施の形態に示したルアー10に関連し、特に芯部20を１本の線材で形成した実施形態（第３の実施形態）を示している。この実施の形態において、先端部に設ける環状のラインアイ（アイレット）21、後端及び前後方向の中間部分近傍に設ける環状のフック接続環22・23は、芯部20を構成する金属線を曲折させて形成している。但し、図５に示す第４の実施の形態の様に、ラインアイ（アイレット）21、及びフック接続環22・23を構成する環状に形成したパーツを別途用意し、これを金属線材に溶着して形成しても良い。この図４及び図５に示す様に、芯部20を１本の金属線で構成した場合には、形態を模した魚体の幅方向及び高さ方向への変形を容易に行う事ができる。また、芯部20としてバネ材等のように弾性変形可能な材料を用いて形成する事もでき、この場合には、生餌における筋肉の弾力性を当該芯部20の弾性変形により実現することができ、当該ルアー10にかかった対象魚にも、あたかも生餌と同じような弾力性により違和感を与えることなく、確実に釣り上げることができるようになる。
【００４５】
ぞして図４に示す様に、リップ部50を塑性変形可能な金属や樹脂材料で形成する事により、当該ルアー10を水中で引いた時の動きを調整することができる。即ち、図４（Ａ）に示す様に、板状に形成したリップ部50を、前方斜め下方に延出させて存在させた場合には、これを水中で引いた時には潜る方向にルアー10が移動する。一方で、図４（Ｂ）に示す様に、このリップ部50の先端側を上方に湾曲させることにより、水中においてこのリップ部50が抵抗を受けて、当該ルアー10はラインアイ（アイレット）21を中心に上向きになることから、水面に向かう方向にルアー10は移動することができる。特に、リップ部50を図４（Ｂ）に示したように上向きに湾曲変形させたルアー10を素早く引いた場合には、水面を跳ねる様に移動することになり、対象魚に対して興味を与えることができる。
【００４６】
図６は、第５の実施の形態にかかるルアー10を示す内部透視斜視図であり、特にリップ部50を、金属線などからなる芯部20によって輪郭形状を形成して成形部30を構成する樹脂により塞ぐことによって構成している実施態様を示している。
【００４７】
このように形成したルアー10においては、リップ部50の形成に際して、別途溶接や係合等の製造工程が不要となり、更に当該芯部20を金属線などの塑性変形可能な材料で形成することにより、自在に変形可能なリップ部50を形成することができる。また針金などからなる芯部20により、フレームとなる骨格を形成している事から、上下方向の湾曲のみならず、左右方向へも変形可能であって、リップ部50の平面積を減じる様に変形させる事もできる。
【００４８】
よって、この第５の実施の形態にかかるルアー10においては、一層きめ細やかかつ複雑な水中動作を実現可能なルアー10が提供される。
【産業上の利用可能性】
【００４９】
本発明にかかるルアー10は、趣味、スポーツ、遊びとしてのルアー10フィッシングにおいて使用することができ、更に新規なルアー10の提供により、当該フィッシング業界のみならず、ルアー10の製造業界の活性化を企図することができる。
【符号の説明】
【００５０】
10    ルアー
20    芯部
22・23    フック接続環
30    成形部
40    フック
50    リップ部
【図１】
2015181381.tif 000003
【図２】
2015181381.tif 000004
【図３】
2015181381.tif 000005
【図４】
2015181381.tif 000006
【図５】
2015181381.tif 000007
【図６】
2015181381.tif 000008